(57)【要約】【課題】  カーテン吊り具に新規な機能を与える。【解決手段】  パイプフック１０の挿入部１２には内部空洞１２ａが設けられているので、この中に物体を収容したり、内部空洞１２ａの壁面に薬剤等を塗着できる。例えば消臭剤、芳香剤、防虫剤等の揮発性の機能剤を収容できる。また、シリカゲル、活性炭、木炭、竹炭等の吸着剤を収容することもできる。消臭剤、芳香剤、防虫剤なら、その揮発成分が内部空洞１２ａの開口１５から室内に拡散して、それぞれの機能による効果をもたらす。吸収剤なら、悪臭物質やシックハウス症候群の原因物質等を吸着して、こうした物質による害を低減したり、水分を吸収することによる防湿効果も期待できる。【選択図】  図１
2005296329.tif 000002
【特許請求の範囲】
【請求項１】
カーテンランナに吊下するためのフックと、カーテンに設けられた環状ないし筒状の部分に挿入される挿入部とを備えるカーテン吊り具において、
前記挿入部を内部空洞の筒体としたことを特徴とするカーテン吊り具。
【請求項２】
請求項１記載のカーテン吊り具において、
前記挿入部の内部空洞に揮発性の機能剤を配したことを特徴とするカーテン吊り具。
【請求項３】
請求項２記載のカーテン吊り具において、
前記揮発性の機能剤は、消臭剤、芳香剤、防虫剤のいずれかであることを特徴とするカーテン吊り具。
【請求項４】
請求項１記載のカーテン吊り具において、
前記挿入部の内部空洞に吸着剤を配したことを特徴とするカーテン吊り具。
【請求項５】
請求項４記載のカーテン吊り具において、
前記吸着剤は、シリカゲル又は炭であることを特徴とするカーテン吊り具。
【請求項６】
請求項１記載のカーテン吊り具において、
前記挿入部の内部空洞に光触媒が塗着されていることを特徴とするカーテン吊り具。
【請求項７】
請求項１から６のいずれか１項に記載のカーテン吊り具において、
前記挿入部の外周長は２０ｍｍ以上であることを特徴とするカーテン吊り具。
【請求項８】
請求項１から７のいずれか１項に記載のカーテン吊り具において、
前記内部空洞に収容された物の脱落を防ぐための脱落防止手段を備えたことを特徴とするカーテン吊り具。
【請求項９】
請求項８記載のカーテン吊り具において、
前記脱落防止手段は前記内部空洞に嵌着される封止体であることを特徴とするカーテン吊り具。
【請求項１０】
請求項８記載のカーテン吊り具において、
前記脱落防止手段は前記内部空洞の壁面に設けられた突起であることを特徴とするカーテン吊り具。
【発明の詳細な説明】
【技術分野】
【０００１】
本発明は、カーテン吊り具の技術分野に属する。
【背景技術】
【０００２】
カーテンをカーテンレールに装着するためにカーテン吊り具が使用される。このカーテン吊り具は、例えば棒状の挿入部をカーテンに設けられたタックによる筒状の部分やカーテンに取り付けられた紐等による環状の部分に挿入することでカーテンと連結してから、フックをカーテンランナに吊下される。
【特許文献１】特開平１０−２５７９６１号公報
【発明の開示】
【発明が解決しようとする課題】
【０００３】
従来のカーテン吊り具は、カーテンをカーテンレールに吊り下げる機能は充分に果たすものの、それ以外の機能を持たなかった。
【課題を解決するための手段】
【０００４】
請求項１記載のカーテン吊り具は、カーテンランナに吊下するためのフックと、カーテンに設けられた環状ないし筒状の部分に挿入される挿入部とを備えるカーテン吊り具において、前記挿入部を内部空洞の筒体としたので、内部空洞に機能剤（請求項３に例示される揮発性の機能剤や請求項５に例示される吸着剤）を配置（例えば充填）したり、請求項６に記載の光触媒等を塗着することができる。よって、内部空洞に配される機能剤や塗着される物質（これも一種の機能剤と言える。）次第で、様々な機能を発揮できる。
【０００５】
なお、機能剤というわけではないが、内部空洞に例えば蓄電池を挿入し、カーテンに取り付けた太陽電池（或いはカーテン地に太陽電池の機能を備えてもよい）によって発電された電気を該蓄電池に充電して、これを例えば照明等の電源にすることも可能である。
【０００６】
例えば請求項２に記載の揮発性の機能剤を配せば、この機能剤が揮発（蒸発又は昇華）した成分が室内に拡散することによる効果が得られる。カーテンは、朝夕２回は開閉されるのが普通であるから、そうした開閉動作が揮発成分を拡散させる動作ともなる。
【０００７】
揮発性の機能剤の具体的な例としては請求項３記載の消臭剤、芳香剤、防虫剤を上げることができるが、これらに限るものではない。例えばシックハウス症候群の原因物質と反応して無害化する化学剤等でもよい。また、複数種類の機能剤を混用してもよい。
【０００８】
揮発性の機能剤（消臭剤、芳香剤、防虫剤等）には液体のものがあるが、それは例えばスポンジやシリカゲルのような多孔質材や綿のような繊維材に担持させて内部空洞に収容すればよい。この担持体は、例えば棒状にして内部空洞に挿入してもよいし、粒状又は粉状なら網や袋に詰めてから内部空洞に入れればよい。機能剤がナフタリンのような固体なら、これを棒状、粒状又は粉状にして同様に内部空洞に収容すればよい。
【０００９】
内部空洞に請求項４に記載の吸着剤を配せば、悪臭物質やシックハウス症候群の原因物質等を吸着して室内から除去するので、こうした物質による害を無くする（少なくとも低減する）ことができる。
【００１０】
吸着剤の具体的な例としては請求項５記載のシリカゲル又は炭（活性炭、木炭、竹炭等）を上げることができるが、これらに限るものではない。また、複数種類の吸着剤を混用してもよい。或いは、吸着剤に揮発性の機能剤（消臭剤、芳香剤、防虫剤等）を担持させてもよい。吸着剤についても、揮発性の機能材と同様に棒状、粒状又は粉状にして、上述と同様に内部空洞に収容すればよい。
【００１１】
また、内部空洞には機能剤（請求項３に例示される揮発性の機能剤や請求項５に例示される吸着剤）を塗着することもできる。
好適な例としては請求項６に記載の光触媒の塗着がある。光触媒（例えば二酸化チタン）は主に紫外線によって活性化されて、有機物を分解したり悪臭物質を分解することで周知である。この性質から、布地（ここではカーテン）が接触すると、これを劣化させてしまうが、内部空洞に塗着されているのでカーテンに接触することはなく、かかる不具合は発生しない。その一方で、カーテンという太陽光が直射する場所（窓際）に配されるので、光触媒効果を充分に発揮できる。
【００１２】
ところで、本発明のカーテン吊り具は挿入部を内部空洞の筒体としたので、挿入部が従来のものに比べれば自ずと太くなっている。しかし、これは欠点、弱点ではなく、利点となる。
【００１３】
従来のカーテン吊り具においては挿入部がカーテンのタックよりも細かったので、タックに挿入した挿入部が安定しなかった。そのため、タックの内側を狭めて挿入部を安定させる目的でタックを二重の折り返しにしてミシン掛けしたり、タックを横切る方向にミシン掛けして挿入部を通す分だけを残す等の加工が必要であった。
【００１４】
しかしながら、本発明のカーテン吊り具は上記のように、挿入部が従来のものに比べれば太くなっているので、これをタックに挿し込むだけで充分に安定する。つまり、タックを二重の折り返しにするとか、タックを横切る方向にミシン掛けするとか、挿入部を安定させるための加工をカーテンに施す必要がなくなる。これにより、カーテンの加工工程を簡素化できる（コストダウンになる）。
【００１５】
また、二重の折り返しにしない分だけカーテンの有効幅を大きくできる。タックのサイズ（折り返し分）は、カーテン地の厚薄によって一律ではないものの、一般的には最小でも２ｃｍ程度である。これを二重の折り返しにすると布地の幅としては約４ｃｍをタックとして費やすことになる。例えば１ｍ５０ｃｍ幅のカーテン地に７ヶ所のタックを設けるなら、タック分は２８ｃｍということになる。一方、二重の折り返しにしなければ、同１４ｃｍであるから、この分はカーテンの有効幅を大きくできる。
【００１６】
請求項７記載のカーテン吊り具は、このようなタックとの対応を考慮したものであり、前記挿入部の外周長を２０ｍｍ以上としている。挿入部の外周形状は円筒とは限らない（多角形でもよいので）外周長で規定しているが、外周２０ｍｍは円筒の場合なら直径が６ｍｍ強ということになる。したがって、円筒形にする場合には直径６ｍｍ以上でもよい。カーテン地の厚さやカーテンの種類、用途などによりタック寸法が異なってくるから、それに対応させて挿入部の寸法を異ならせたものを製造し、消費者やカーテン製造者が選択できるようにすればよい。
【００１７】
上述したように、本発明のカーテン吊り具は、内部空洞に機能剤を収容する使い方をされる。塗着する場合はともかく、棒状や粒状又は粉状であると（網や袋に詰めても）、カーテンの開閉等に伴う振動や衝撃で脱落する可能性は皆無ではないので、この対策も必要になる。詰め替えを考慮する必要がなければ内部空洞に接着或いは粘着させてもよい。しかし、揮発性の機能材の場合は消耗するからそうはいかない。
【００１８】
請求項８記載のカーテン吊り具は、請求項１から７のいずれか１項に記載のカーテン吊り具において、前記内部空洞に収容された物の脱落を防ぐための脱落防止手段を備えたので、内部空洞に収容した機能剤の脱落を防止できる。
【００１９】
脱落防止手段の構造に特段の制限はないが、請求項９の封止体や請求項１０の突起を採用するとよい。
請求項９記載のカーテン吊り具は、請求項８記載のカーテン吊り具において、前記脱落防止手段は前記内部空洞に嵌着される封止体であることを特徴とする。
【００２０】
封止体は、例えばキャップやプラグであるが、機能剤（消臭剤、芳香剤、防虫剤、シリカゲル、活性炭等）は、密封されていたのでは機能を発揮できないので、穴を設けたり格子状にするとよい。また、挿入部の頭部に穴を設けたり格子状にするのも有効である。
【００２１】
請求項１０記載のカーテン吊り具は、請求項８記載のカーテン吊り具において、前記脱落防止手段は前記内部空洞の壁面に設けられた突起であるから、棒状にされたり、袋、網等に収納された機能剤の脱落を突起による圧迫や係止によって防止できる。
【発明を実施するための最良の形態】
【００２２】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、カーテン吊り具である本実施例のパイプフック１０は、中空な筒体である挿入部１２と挿入部１２から延出された外腕部１４とを備えている。なお、パイプフック１０はプラスチックの射出成形品である。
【００２３】
円筒状の挿入部１２の外径は約１０ｍｍ、内径は約８ｍｍである。本実施例では、カーテンＣのタックＴ（図３参照）への挿入を容易にするために略半球状の頭部１３を設けてあるが、これをコニカルにしてもよい。また、頭部１３にて挿入部１２の上端を閉じないで、開放されていてもよい。
【００２４】
挿入部１２の下端は開口１５となっているが、封止体であるキャップ１７を嵌着して閉鎖できる。このキャップ１７には挿入部１２の内部空洞１２ａと外気とを連通させるための連通孔１７ａが複数設けられている。なお、連通孔１７ａは１個でもよい。
【００２５】
外腕部１４は基部１６にて挿入部１２に連設されており、基部１６から挿入部１２とほぼ平行に立ち上がった直部１９の先端にはフック２０が設けられている。なお、フック２０と直部１９とを一体にせず、フック２０を直部１９に沿って上下移動可能な構造（アジャスタブルフック）としてもよい。
【００２６】
このパイプフック１０は、図３に示すように、円筒状の挿入部１２をカーテンＣのタックＴへ挿入してカーテンＣに取り付けられる。そして、フック２０をカーテンランナ（図示略）に掛けることで、カーテンＣをカーテンレール（図示略）に吊下する。
【００２７】
このパイプフック１０は上記のように、挿入部１２が従来のものに比べれば格段に太いので、これをタックＴに挿し込むだけで充分に安定する。
つまり、挿入部が細かった従来のカーテン吊り具の場合は、例えばタックを二重の折り返しにするとか、タックを横切る方向にミシン掛けするとか、挿入部を安定させるための加工をカーテンに施す必要があったが、本実施例のパイプフック１０ならこうした加工は不要であるから、カーテンＣの加工工程を簡素化でき、カーテンＣの生産性の向上及びコストダウンが可能になる。
【００２８】
また、タックＴを二重の折り返しにしなくてよいので、その分だけカーテンの有効幅を大きくできる。すなわち、従来と同幅のカーテン地を使用しても、従来より幅広のカーテンＣを製造できる。
【００２９】
このパイプフック１０は挿入部１２が中空な筒体で、内部空洞１２ａが設けられているので、この中に物体を収容したり、内部空洞１２ａの壁面に薬剤等を塗着できる。
例えば消臭剤、芳香剤、防虫剤等の揮発性の機能剤を収容できる。また、シリカゲル、活性炭、木炭、竹炭等の吸着剤を収容することもできる。複数種類の機能剤を混ぜたもの、複数種類の吸着剤を混ぜたものでもよい。
【００３０】
消臭剤、芳香剤、防虫剤なら、その揮発成分が内部空洞１２ａの開口１５から室内に拡散して、それぞれの機能による効果をもたらす。吸収剤なら、悪臭物質やシックハウス症候群の原因物質等を吸着して、こうした物質による害を低減したり、水分を吸収することによる防湿効果も期待できる。
【００３１】
キャップ１７は内部空洞１２ａからこれらの機能剤が脱落するのを防止するが、連通孔１７ａがあるので機能を阻害しない。
また、内部空洞１２ａに機能剤（揮発性の機能剤や吸着剤）を塗着することもできる。内部空洞１２ａに光触媒（例えば二酸化チタン）を塗着すれば、太陽光が直射する窓際に配されるので光触媒効果を充分に発揮するので、有機物を分解したり悪臭物質を分解する効果が期待できる。
【００３２】
キャップ１７の場合、内部空洞１２ａへの機能剤（例えば消臭剤、芳香剤、防虫剤）の詰め替えに際して、これを外して再装着すればよいので作業性が優れる利点がある。
その一方で、小さな部品であるので紛失のおそれもある。この問題に対しては、図２に例示するような突起２１を内部空洞１２ａの壁面に設ければよい。図２に示した突起２１は、挿入部１２の軸方向に沿ったリブであるが、例えば周方向のリブやリングにすることもできる。また、リブのような板状でなくて、棒状（ピン）であってもよい。
【００３３】
こうした突起２１を設けておけば、機能剤を入れた袋２３や網２３（或いは適宜のサイズに成形された機能剤）などを押し込むだけでその脱落を防止できる。
【図面の簡単な説明】
【００３４】
【図１】実施例のカーテン吊り具の説明図。
【図２】実施例のカーテン吊り具に突起を設ける例の説明図。
【図３】実施例のカーテン吊り具をカーテンに取り付けた状態の説明図。
【符号の説明】
【００３５】
１０・・・パイプフック（カーテン吊り具）、
１２・・・挿入部、
１２ａ・・・内部空洞、
１５・・・開口、
１７・・・キャップ（封止体）、
２０・・・フック、
２１・・・突起、
Ｃ・・・カーテン、
Ｔ・・・タック。
【図１】
2005296329.tif 000003
【図２】
2005296329.tif 000004
【図３】
2005296329.tif 000005